(57)【要約】【課題】本発明は、発泡シートを幅方向に二分割してなる分割発泡シート同士が互いに分離した状態を維持しつつ巻取り軸に巻取ることができるようにした発泡シートの重なり防止機構を提供する。【解決手段】本発明の発泡シートの重なり防止機構１は、発泡シートＳをカッタ３によって二分割してなる分割発泡シートＳ１を巻取り軸２に搬送する搬送途上に配設される発泡シートの重なり防止機構であって、分割発泡シートＳ１の対向端部間に亘った状態で二つの分割発泡シートＳ１、Ｓ１に押圧させてこれら分割発泡シートＳ１、Ｓ１同士を互いに分離させる紡錘形状の押圧部材５と、分割発泡シートＳ１、Ｓ１に対する上記押圧部材５の押圧力を調整しつつ、上記押圧部材５を上記分割発泡シートＳ１、Ｓ１に押圧させた状態を維持する支持部材４とからなるので、二つの分割発泡シートを互いに確実に分離された状態に巻取り軸に巻き取ることができる。【選択図】    図２
2004292078.tif 000002
【特許請求の範囲】
【請求項１】
長尺状の発泡シートを切断手段によって幅方向に連続的に二分割してなる分割発泡シートを巻取り軸に搬送する搬送途上に配設される発泡シートの重なり防止機構であって、この重なり防止機構は、上記二つの分割発泡シートの対向端部間に亘った状態で上記二つの分割発泡シートに押圧させてこれら分割発泡シート同士を互いに分離させる紡錘形状の押圧部材と、上記分割発泡シートに対する上記押圧部材の押圧力を調整しつつ、上記押圧部材を上記分割発泡シートに押圧させた状態を維持する支持部材とからなることを特徴とする発泡シートの重なり防止機構。
【請求項２】
支持部材は、その後端部を中心にして前端部が分割発泡シートに接する方向に常時、付勢された状態に回動自在に配設され、上記支持部材の前端部に押圧部材が一体的に設けられていることを特徴とする請求項１に記載の発泡シートの重なり防止機構。
【請求項３】
支持部材に、分割発泡シートに対する押圧部材の押圧力を調整するための押圧力調整機構が設けられていることを特徴とする請求項１又は請求項２に記載の発泡シートの重なり防止機構。
【請求項４】
支持部材に、押圧部材を分割発泡シートの搬送路から離間した退避状態に維持するための退避機構を設けていることを特徴とする請求項１乃至請求項３の何れか１項に記載の発泡シートの重なり防止機構。
【発明の詳細な説明】
【０００１】
【発明の属する技術分野】
本発明は、長尺状の発泡シートを幅方向に二分割してなる分割発泡シートを互いに重なり合わせることなく巻取り軸に連続的に巻き取ることができるようにする発泡シートの重なり防止機構に関する。
【０００２】
【従来の技術】
従来から、緩衝材や断熱材として発泡シートが汎用されており、この発泡シートは押出発泡によって連続的に製造されている。そして、発泡シートとしては、用途や規格によって種々の幅寸法が要求されており、製造コストを低減することを目的として、先ず、長尺状の幅広の発泡シートを連続的に製造し、この幅広の発泡シートを連続的に所定幅に切断、分割した上で同一の巻取り軸に巻き取っている。
【０００３】
しかしながら、上記発泡シートは、その発泡時における微妙な発泡条件の変化に起因して発泡倍率が幅方向に僅かに変化し、この発泡倍率の変化が原因となって、幅方向に厚みが微妙に変化している。
【０００４】
従って、発泡シートを幅方向に分割して得られた幅狭の分割発泡シートを同一の巻取り軸に巻き取っていくと、上述した発泡シートの幅方向の厚みの変化や巻取り軸の外周面の僅かな傾きが原因となって、巻取り軸上において、分割発泡シート同士が互いに近接する方向に徐々に移動していき、分割発泡シート同士が互いの対向端部を重ね合わせた状態に巻取り軸に巻き取られてしまうといった問題点が発生していた。
【０００５】
このような問題が金属帯板にも同様に発生しており、この問題点を解消するために、特許文献１には、金属帯板を板幅方向に連続して二分割してなる２条スリット材を、中央部の外形寸法を軸方向端部よりも大きく形成したテーパロールとフラットロールとからなるセパレータロールによって２条スリット材同士が重なり合うのを防止する２条スリット材の重なり防止装置が提案されている。
【０００６】
ところが、上記２条スリット材の重なり防止装置におけるテーパロールとフラットロールとの間隔は、該テーパロールとフラットロールとの間に２条スリット材を通過させている間は一定間隔に保持されている。
【０００７】
従って、この装置を発泡シートに適応すると、上述のように発泡シートにはその幅方向に厚みに差が生じていることから、発泡シートが部分的に厚み方向に圧壊されてしまうといった問題点を生じ、上記２条スリット材の重なり防止装置は発泡シートには適用することができないものであった。
【０００８】
【特許文献１】
実開平５−４４３０９号公報
【０００９】
【発明が解決しようとする課題】
本発明は、発泡シートを幅方向に二分割してなる分割発泡シートを厚み方向に圧壊させることなく、分割発泡シートをこれら分割発泡シート同士が互いに分離した状態を維持しつつ巻取り軸に円滑に且つ確実に連続的に巻取ることができるようにする発泡シートの重なり防止機構を提供する。
【００１０】
【課題を解決するための手段】
請求項１に記載の発泡シートの重なり防止機構は、長尺状の発泡シートをカッタによって幅方向に連続的に二分割してなる分割発泡シートを巻取り軸に搬送する搬送途上に配設される発泡シートの重なり防止機構であって、この重なり防止機構は、上記二つの分割発泡シートの対向端部間に亘った状態で上記二つの分割発泡シートに押圧させてこれら分割発泡シート同士を互いに分離させる紡錘形状の押圧部材と、上記分割発泡シートに対する上記押圧部材の押圧力を調整しつつ、上記押圧部材を上記分割発泡シートに押圧させた状態を維持する支持部材とからなることを特徴とする。
【００１１】
又、請求項２に記載の発泡シートの重なり防止機構は、請求項１に記載の発泡シートの重なり防止機構において、支持部材は、その後端部を中心にして前端部が分割発泡シートに接する方向に常時、付勢された状態に回動自在に配設され、上記支持部材の前端部に押圧部材が一体的に設けられていることを特徴とする。
【００１２】
そして、請求項３に記載の発泡シートの重なり防止機構は、請求項１又は請求項２に記載の発泡シートの重なり防止機構において、支持部材に、分割発泡シートに対する押圧部材の押圧力を調整するための押圧力調整機構が設けられていることを特徴とする。
【００１３】
最後に、請求項４に記載の発泡シートの重なり防止機構は、請求項１乃至請求項３の何れか１項に記載の発泡シートの重なり防止機構において、支持部材に、押圧部材を分割発泡シートの搬送路から離間した退避状態に維持するための退避機構を設けていることを特徴とする。
【００１４】
【作用】
本発明の発泡シートの重なり防止機構は、押圧部材の押圧力を調整しつつ、押圧部材を一対の分割発泡シートの対向端部間に亘った状態に分割発泡シートに押圧させ、分割発泡シート同士を分離させているので、発泡シートが部分的に圧壊、損傷したりすることはなく、分割発泡シート同士を確実に分離させた状態で巻取り軸に連続的に巻き取ることができる。
【００１５】
【発明の実施の形態】
本発明の発泡シートの重なり防止機構の一例を図面を参照しつつ説明する。発泡シートの重なり防止機構１は、押出発泡によって連続的に製造された発泡シートＳが幅方向に連続的に二分割されてなる分割発泡シートＳ１、Ｓ１を互いに重なり合わないように制御しつつ巻取り軸２に連続的に巻き取られるようにする機構である。
【００１６】
先ず、押出発泡によって発泡シートＳを連続的に製造するための装置を説明するに、この装置は汎用の装置であって、図１に示したように、押出機Ａと、この押出機Ａの前端に取り付けられたサーキュラ金型（図示せず）から連続的に押出発泡された円筒状発泡体を冷却するマンドレルＢと、このマンドレルＢによって冷却された円筒状発泡体を上端又は下端で押出方向に連続的に切断、展開して発泡シートＳとする切断刃Ｃとからなる。
【００１７】
上記切断刃Ｃの前方には、上記発泡シートＳを幅方向の任意の箇所で押出方向に連続的に二分割する切断手段であるカッタ３が配設されており、このカッタ３の前方には、カッタ３によって発泡シートＳを二分割して得られた二つの分割発泡シートＳ１、Ｓ１を連続的に巻き取るための巻取り軸２がその軸芯を水平方向に指向させた状態で拡縮自在に配設されている。なお、上記カッタ３は、発泡シートＳの搬送路から接離可能に構成されている。
【００１８】
そして、上記発泡シートの重なり防止機構１は、図２及び図３に示したように、巻取り軸２とカッタ３との間における分割発泡シートＳ１、Ｓ１の搬送路の下方に配設されており、後端部を中心にして上下方向に回動自在に配設された支持部材４と、この支持部材４の前端部に配設された押圧部材５とからなる。
【００１９】
具体的には、上記支持部材４は、一定長さを有する左右一対の支持アーム４１、４１と、この支持アーム４１、４１の対向前端部間を連結する連結部４２とから平面コ字状に形成されている。
【００２０】
上記支持部材４の連結部４２の上面には、図３及び図４に示したように、左右方向に所定間隔を存して一対の支持片４２ａ  、４２ａ  が上方に向かって突設されており、この支持片４２ａ  、４２ａ  間には、外周面が平滑面に形成された紡錘形状の押圧部材５、即ち、軸芯方向の両端から中央になるにしたがって徐々に太くなるように形成された押圧部材５がその回転軸５０を中心にして回転自在に支持されている。そして、この押圧部材５は、上記巻取り軸２に巻き取られた分割発泡シートＳ１、Ｓ１に接触しないようにしつつ、巻取り軸２に巻き取られた分割発泡シートＳ１、Ｓ１にできるだけ近づけた状態で配設してある。
【００２１】
更に、上記支持部材４は、その支持アーム４１、４１の後端から前方に所定間隔だけ存した部分に一本の支持軸４３を水平方向に挿通支持させることによって、支持アーム４１、４１の後端部（支持軸４３）を中心にして上下方向に回動自在に構成されている。
【００２２】
又、上記支持軸４３よりも後方において、一対の支持アーム４１、４１の対向後端部間には錘４４が配設され、この錘４４の重さによって、上記支持部材４は、その前端部に一体的に設けた押圧部材５が巻取り軸２へ搬送途上の分割発泡シートＳ１、Ｓ１に向かって（上方に向かって）常時、付勢された状態に構成されている。なお、上記錘４４の重さは、適宜調整可能に構成されている。
【００２３】
更に、上記支持軸４３よりも前方において、一対の支持アーム４１、４１間には補助錘４５が支持アーム４１、４１の長さ方向に沿って変位可能に且つ所定位置に固定可能に架設され、この補助錘４５を支持アーム４１、４１の長さ方向に変位させることによって、上記錘４４により付与された、分割発泡シートＳ１、Ｓ１に対する押圧部材５の押圧力を微調整可能に構成している。
【００２４】
又、上記支持部材４には、図３及び図４に示したように、その前端部に一体的に設けた押圧部材５を分割発泡シートＳ１、Ｓ１の搬送路から強制的に離間させて退避状態に維持するための退避機構６が一体的に設けられている。
【００２５】
具体的には、上記退避機構６は、上記支持部材４の支持アーム４１、４１の基端部から外方に突出している支持軸４３の端部に後方に向かって突出した状態に一体的に設けられた押圧片６１と、この押圧片６１の後端部下方に配設されて押圧片６１の後端部下面を上方に向かって押圧するピストンロッド６２とからなる。
【００２６】
そして、上記ピストンロッド６２は、図５に示したように、常態では収縮して下方に退避し、押圧片６１から離間した状態となっているが、上記押圧部材５を分割発泡シートＳ１、Ｓ１の搬送路から強制的に退避させる場合には、図６に示したように、上記ピストンロッド６２を上方に伸長させて上記押圧片６１の後端部を上方に押し上げ、押圧片６１をその前端部を中心にして上方に向かって回動させることによって、この押圧片６１の前端部に一体化した支持軸４３を前方に向かって回動させ、更に、この支持軸４３の前方への回動によって、該支持軸４３に一体化された支持部材４を支持軸４３を中心にして前端部が分割発泡シートＳ１、Ｓ１の搬送路から離間する方向に回動変位させて押圧部材５が分割発泡シートＳ１、Ｓ１の搬送路から強制的に下方に退避させるように構成されている。
【００２７】
又、上記支持部材４の側方部には、図２及び図６に示したように、下端部を中心にして前後方向に回動自在に枢着された一定長さを有する巻取軸支持部材２１が配設されており、この巻取軸支持部材２１の上端部内面には、上記巻取り軸２がその軸芯を中心にして所望回転速度で回転して分割発泡シートＳ１、Ｓ１を連続的に巻き取ることができるように構成されている。
【００２８】
上記巻取り軸２は、その外周面に着脱自在に被嵌された円筒軸体上に分割発泡シートＳ１、Ｓ１を巻取っている間は上記巻取軸支持部材２１が前方に向かって傾倒した状態となって上記押圧部材５の前方近傍部に位置している（図２及び図６参照）一方、分割発泡シートＳ１、Ｓ１の巻取りが終了して、巻き取られた分割発泡シートＳ１、Ｓ１を巻取り軸２から取り外した後、新たな長尺状の分割発泡シートＳ１、Ｓ１の始端部を巻取り軸２に巻き付ける際には、上記巻取軸支持部材２１がその下端部を中心にして後方に向かって回動変位して後方に向かって傾斜した状態となって上記巻取り軸２を後方側に変位させるように構成している（図７参照）。
【００２９】
なお、巻取軸支持部材２１の後側端面には、図２に示したように、ピストンロッド２１ａ  の先端部が一体的に固定してあり、このピストンロッド２１ａ  を伸縮させることによって、上記の如く、巻取軸支持部材２１をその下端部を中心にして前後方向に回動変位自在に構成している。
【００３０】
そして、上記の如く後方側に変位させられた巻取り軸２と上記発泡シートＳを二分割するカッタ３との間における分割発泡シートＳ１、Ｓ１の搬送路近傍には、図８に示したように、上記巻取り軸２への分割発泡シートＳ１、Ｓ１の巻取りが完了した後に長尺状の分割発泡シートＳ１、Ｓ１を幅方向の全長に亘って切断する切断部材７が配設されている。
【００３１】
更に、上記後方側に変位させられた巻取り軸２の上方近傍部には、図７及び図８に示したように、分割発泡シートＳ１、Ｓ１の始端部を巻取り軸２に所定長さ分だけ巻き付けるための巻き付け装置（図示せず）が配設されている。
【００３２】
次に、上記発泡シートの重なり防止機構１の使用要領について説明する。先ず、発泡剤を含有する熱可塑性樹脂を押出機Ａに供給して該押出機Ａの先端に取り付けられたサーキュラ金型から円筒状に連続的に押出し、この溶融状態の円筒状発泡体をマンドレルＢに連続的に拡径させつつ供給して冷却させる。
【００３３】
そして、このマンドレルＢで冷却された円筒状発泡体を上端又は下端にて切断刃Ｃによって押出方向に連続的に切断、展開して長尺状の発泡シートＳとし、続いて、この発泡シートＳを連続的にカッタ３によって幅方向の任意の箇所にて押出方向に連続的に二分割して二つの分割発泡シートＳ１、Ｓ１とした上で巻取り軸２に連続的に巻き取られる。なお、巻取り軸２は、巻取軸支持部材２１が前方に向かって傾斜して、押圧部材５の前方近傍部に位置した状態とされている。
【００３４】
しかるに、上記カッタ３と上記巻取り軸２との間における分割発泡シートＳ１、Ｓ１の搬送途上には、支持部材４に一体的に設けられた紡錘形状の押圧部材５が配設されており、この押圧部材は、その最も太く形成された中央部を二つの分割発泡シートＳ１、Ｓ１の対向端部間に下方から位置させ且つ二つの分割発泡シートＳ１、Ｓ１の対向端部間に亘った状態で分割発泡シートＳ１、Ｓ１の下面に常時、押圧した状態となっている（図５及び図９参照）。
【００３５】
従って、発泡シートＳを二分割することによって形成された分割発泡シートＳ１、Ｓ１は、中央部を稜部として端部になるに従って徐々に下方に向かって傾斜してなる、押圧部材５の外周面によって互いに離間する方向に規制され、よって、分割発泡シートＳ１、Ｓ１に幅方向に厚み差が存在し或いは巻取り軸２に被嵌した円筒軸体の外周面に偏りがあった場合にあっても、二つの分割発泡シートＳ１、Ｓ１は、互いに重なり合うことなく分離した状態を維持しつつ巻取り軸２の円筒軸体に連続的に且つ確実に巻き取られる。
【００３６】
しかも、上記押圧部材５は、該押圧部材５を支持している支持部材４によって上下方向に変位自在な状態に分割発泡シートＳ１、Ｓ１に下方から押圧させられているので、分割発泡シートＳ１、Ｓ１が巻取り軸２への搬送途上において上下方向に変動した場合にあっても、押圧部材５は分割発泡シートＳ１、Ｓ１の上下変動に円滑に対応して上下動し、分割発泡シートＳ１、Ｓ１を不測に圧壊してしまうといった事態は発生せず、分割発泡シートＳ１、Ｓ１を損なうことなく安定的に且つ互いに分離させつつ巻取り軸２に搬送させることができる。
【００３７】
そして、上記押圧部材５の分割発泡シートＳ１、Ｓ１に対する押圧力は、押圧部材５を支持している支持部材４に設けた錘４４の重量を調整し、必要に応じて、支持部材４の支持アーム４１、４１に対する補助錘４５の取り付け位置を支持アーム４１、４１の長さ方向の所望位置に変位させることによって微調整することができるので、押圧部材５を分割発泡シートＳ１、Ｓ１に対して必要最小限の押圧力でもって弾接させて分割発泡シートＳ１、Ｓ１に損傷を与えることなく、分割発泡シートＳ１、Ｓ１同士を確実に分離した状態に巻取り軸２に連続的に巻き取ることができる。
【００３８】
更に、上記押圧部材５は、巻取り軸２に巻き取られた分割発泡シートＳ１、Ｓ１に接触しないようにしつつ、巻取り軸２に巻き取られた分割発泡シートＳ１、Ｓ１にできるだけ近づけた状態に配設されていることから、押圧部材５によって分離された分割発泡シートＳ１、Ｓ１は、その分離状態を確実に維持したまま直ちに巻取り軸２上に円滑に巻き取られる。
【００３９】
しかして、上記要領で巻取り軸２上に所定長さ分の分割発泡シートＳ１、Ｓ１を巻き付け、巻取り軸２への分割発泡シートＳ１、Ｓ１の巻き付けが完了した時点で、押出機Ａ側から連続的に前方に送り込まれてくる分割発泡シートＳ１、Ｓ１を切断部材７によって全幅に亘って切断した後、分割発泡シートＳ１、Ｓ１の終端まで巻取り軸２に完全に巻き取る。
【００４０】
なお、上記切断部材７によって分割発泡シートＳ１、Ｓ１を切断することにより形成された、次に巻取り軸２に搬送される分割発泡シートＳ１、Ｓ１は、押出機Ａと切断部材７との間に配設された、巻取り軸２に搬送される発泡シートＳの長さを調整する段差ロールＤによって、押出機Ａから円筒状発泡体が連続的に前方に向かって押出発泡されているにもかかわらず、切断部材７よりも前方に搬送されないように調整されている。
【００４１】
そして、上記巻取り軸２を縮径させることによって二つの分割発泡シートＳ１、Ｓ１を巻取り軸２から取り外して再度、巻取り軸２を拡径させた上で巻取軸支持部材２１をその下端部を中心にして後方に向かって回動変位させ、巻取軸支持部材２１の上端部に一体的に設けた巻取り軸２を後方側に変位させる（図７参照）。
【００４２】
この時、上記巻取軸支持部材２１の後方への回動変位の妨げとならないように、図６及び図７に示したように、上記退避機構６におけるピストンロッド６２を上方に向かって伸長させて、このピストンロッド６２によって支持部材４の押圧片６１の後端部を上方に向かって押し上げ、支持部材４をその前端部に一体化した押圧部材５が下方に変位する方向に支持軸４３を中心にして回動変位させ、押圧部材５を分割発泡シートＳ１、Ｓ１の搬送路から下方に離間した状態に退避させておく。
【００４３】
しかる後、次に待機している分割発泡シートＳ１、Ｓ１を段差ロールＤを調整することにより前方に向かって搬送させると共に、前方に向かって順次搬送されてくる分割発泡シートＳ１、Ｓ１の始端を巻き付け装置によって巻取り軸２上に所定長さだけ巻き付ける。
【００４４】
そして、上記巻き付け装置を分割発泡シートＳ１、Ｓ１の搬送路から退避させた状態とした後、上記巻取軸支持部材２１をその下端部を中心にして前方に向かって回動変位させて、巻取軸支持部材２１に支持させている巻取り軸２を押圧部材５の前方近傍部に位置させる。
【００４５】
そして、上記退避機構６のピストンロッド６２を下方に収縮させることによってピストンロッド６２を押圧片６１の後端部から離間させる。すると、支持部材４に取り付けた錘４４の重さによって、支持部材４がその前端部に一体化した押圧部材５を上方に変位させる方向に支持軸４３を中心にして回動変位し、押圧部材５をその最も太く形成された中央部が二つの分割発泡シートＳ１、Ｓ１の対向端部間に下方から位置し且つ二つの分割発泡シートＳ１、Ｓ１の対向端部間に亘った状態に分割発泡シートＳ１、Ｓ１の下面に押圧させた状態とする。
【００４６】
しかして、二つの分割発泡シートＳ１、Ｓ１は、押圧部材５によって互いに重なり合うのを規制されつつ、所定速さで回転させている巻取り軸２に連続的に且つ互いに分離した状態で円滑に巻き取られる。
【００４７】
【発明の効果】
請求項１に記載の発泡シートの重なり防止機構は、長尺状の発泡シートをカッタによって幅方向に連続的に二分割してなる分割発泡シートを巻取り軸に搬送する搬送途上に配設される発泡シートの重なり防止機構であって、この重なり防止機構は、上記二つの分割発泡シートの対向端部間に亘った状態で上記二つの分割発泡シートに押圧させてこれら分割発泡シート同士を互いに分離させる紡錘形状の押圧部材と、上記分割発泡シートに対する上記押圧部材の押圧力を調整しつつ、上記押圧部材を上記分割発泡シートに押圧させた状態を維持する支持部材とからなることを特徴とするので、分割発泡シートに押圧する押圧部材によって二つの分割発泡シートを互いに確実に分離された状態に巻取り軸に巻き取ることができる。
【００４８】
しかも、押圧部材の押圧力を調整しつつ分割発泡シートに押圧させているので、分割発泡シートが押圧部材の押圧力によって圧壊するといった不測の事態は発生せず、分割発泡シートを損なうことなく巻取り軸に円滑に且つ連続的に巻き取ることができる。
【００４９】
又、請求項２に記載の発泡シートの重なり防止機構は、請求項１に記載の発泡シートの重なり防止機構において、支持部材は、その後端部を中心にして前端部が分割発泡シートに接する方向に常時、付勢された状態に回動自在に配設され、上記支持部材の前端部に押圧部材が一体的に設けられていることを特徴とするので、分割発泡シートに対する押圧部材の押圧力を支持部材の回動動作によって常時、微調整しつつ、押圧部材を分割発泡シートに押圧させることができる。
【００５０】
しかも、分割発泡シートが巻取り軸への搬送途上において上下方向に位置変動を起こした場合にあっても、支持部材が回動変位することによって分割発泡シートにおける上下方向の位置変動を円滑に吸収し、押圧部材を分割発泡シートに適切な押圧力でもって常時、押圧させることができ、分割発泡シートを損なうことなく確実に互いに分離させた状態に巻取り軸に巻き取ることができる。
【００５１】
そして、請求項３に記載の発泡シートの重なり防止機構は、請求項１又は請求項２に記載の発泡シートの重なり防止機構において、支持部材に、分割発泡シートに対する押圧部材の押圧力を調整するための押圧力調整機構が設けられていることを特徴とするので、分割発泡シートの発泡倍率や硬さに応じて、分割発泡シートに対する押圧部材の押圧力を調整し、種類の異なる発泡分割シート毎に適切な押圧力でもって押圧部材を発泡分割シートに押圧させて分割発泡シート同士を互いに分離させた状態に巻取り軸に巻き取ることができる。
【００５２】
最後に、請求項４に記載の発泡シートの重なり防止機構は、請求項１乃至請求項３の何れか１項に記載の発泡シートの重なり防止機構において、支持部材に、押圧部材を分割発泡シートの搬送路から離間した退避状態に維持するための退避機構を設けていることを特徴とするので、分割発泡シートの巻取り軸への巻取り開始時や巻取り軸への巻取り終了時における巻取り軸の取り替え作業などを円滑に行うことができる。
【図面の簡単な説明】
【図１】本発明の発泡シートの重なり防止機構を用いた発泡シートの製造装置を示した模式側面図である。
【図２】本発明の発泡シートの重なり防止機構を示した側面図である。
【図３】本発明の発泡シートの重なり防止機構を示した斜視図である。
【図４】押圧部材を示した縦断面図である。
【図５】本発明の発泡シートの重なり防止機構の使用状態を示した斜視図である。
【図６】押圧部材を分割発泡シートの搬送路から退避させた状態を示した斜視図である。
【図７】巻取り軸を後方に変位させた状態を示した斜視図である。
【図８】カッタ部分を示した側面図である。
【図９】押圧部材を分割発泡シートの対向端部間に跨がった状態で分割発泡シートの対向端部下面に押圧させた状態を示した正面図である。
【符号の説明】
１  発泡シートの重なり防止機構
２  巻取り軸
２１  巻取軸支持部材
３  カッタ
４  支持部材
４１  支持アーム
４２  連結部
４３  支持軸
４４  錘
４５  補助錘
５  押圧部材
６  退避機構
６１  押圧片
６２  ピストンロッド
７  切断部材
Ａ  押出機
Ｂ  マンドレル
Ｃ  切断刃
Ｓ  発泡シート
Ｓ１  分割発泡シート
【図１】
2004292078.tif 000003
【図２】
2004292078.tif 000004
【図３】
2004292078.tif 000005
【図４】
2004292078.tif 000006
【図５】
2004292078.tif 000007
【図６】
2004292078.tif 000008
【図７】
2004292078.tif 000009
【図８】
2004292078.tif 000010
【図９】
2004292078.tif 000011